(57)【特許請求の範囲】
【請求項１】
下記の（ａ）〜（ｇ）の工程を行う、一部床材の貼り替え方法。
（ａ）既設床から貼替対象床材を取り除き、長手方向の雄実および雌実、短手方向の雄実および雌実、ならびに、下地を露出させる工程、
（ｂ）前記露出した下地に残存するフロア残留物を取り除く工程、
（ｃ）前記下地表面に接着剤を塗布する工程、
（ｄ）一の新規床材の長手方向の雄実に他の新規床材の長手方向の雌実を連結した状態で前記２枚の床材表面をテープで仮固定する工程、
（ｅ）前記２枚の新規床材の連結部を山折りにした状態で、前記他の新規床材の長手方向の雄実を、前記既設床の露出した長手方向の雌実に、前記一の新規床材の長手方向の雌実を、前記既設床の露出した長手方向の雄実に、前記２枚の新規床材の短手方向の雄実を、前記既設床の露出した短手方向の雌実にそれぞれはめ込む工程、
（ｆ）運搬用吸盤を用いて、前記２枚の新規床材の長手方向中央部を上方に押し上げ、その状態で前記２枚の新規床材の短手方向の雌実を、前記既設床の短手方向の露出した雄実に当接させる工程、および、
（ｇ）前記２枚の新規床材の短手方向の雌実を既設床の短手方向の露出した雄実に嵌め込む工程。
【請求項２】
前記（ｇ）の工程が、前記２枚の床材の連結部の短手方向の雌実付近を緩衝材付ハンマーで叩くことにより、前記２枚の新規床材の短手方向の雌実を既設床の短手方向の露出した雄実に嵌め込む工程である、請求項２に記載の一部床材の貼り替え方法。
【請求項３】
前記新規床材および前記既設床として、
長手方向および短手方向のそれぞれ同じ側に、
上垂直部、凸部および下垂直部で構成される雄実と、
上顎部、凹部および下顎部で構成される雌実を有する床材を用いる、請求項１または２に記載の一部床材の貼り替え方法であって、
前記一の新規床材における前記雄実の前記凸部の上面または前記既設床における前記露出した雄実の凸部の上面に、前記他の新規床材における前記雌実の前記上顎部の下角部を当接した状態で回転させて前記雌実を前記雄実に嵌め込むに際して、前記下顎部の上角部が前記凸部の移動の妨げとならず、かつ、
施工後の前記一の新規床材における前記上垂直部または前記既設床における前記上垂直部と前記他の新規床材における前記上顎部との水平方向のギャップをＷ０とするとき、凸部下面と下顎部上面との水平方向の重なり巾Ｗ１が２×Ｗ０以上である、床材を用いる、一部床材の貼り替え方法。
【請求項４】
前記ギャップＷ０が、０．１〜１．０ｍｍである、請求項３に記載の一部床材の貼り替え方法。
【請求項５】
前記下顎部が、その上角部にテーパー部を有する、請求項３または４に記載の一部床材の貼り替え方法。
【請求項６】
前記巾Ｗ１が、０．３ｍｍ以上である、請求項３から５までのいずれかに記載の一部床材の貼り替え方法。
【請求項７】
前記凸部先端と前記上垂直部との水平方向の距離Ｈ０とするとき、該凸部先端から水平方向にＨ０／３の上面位置と該凸部の下角部との距離Ｄ１が、前記上顎部の前記下角部と前記下顎部の前記上角部との距離Ｄ２よりも小さい、請求項３から６までのいずれかに記載の一部床材の貼り替え方法。
【発明の詳細な説明】
【技術分野】
【０００１】
本発明は、床材および一部床材の貼り替え方法に係り、特に、床の施工後に一部の床材のみを容易に貼り替えることができる床材および一部床材の貼り替え方法に関する。
【背景技術】
【０００２】
床の施工には、通常、四周に実（雄実および雌実）が形成されている複数の床材が用いられ、床材の雄実を他の床材の雌実にはめ込むとともに、接着剤やビスなどによって下地材に固定することにより敷設される。このようにして施工された床は、床材同士および床材と下地材とが固着している。
【０００３】
よって、床材の施工後に床材の一部に凹みなどの傷を発見しても、その床材のみを取り除くのは困難である。このため、通常、このような床の補修を行う場合には、傷のある床材だけでなく、その床材から壁際に施工された床材までの複数の床材を一旦取り外し、傷のない床材を再度施工する必要がある。
【０００４】
一部床材の貼り替え方法として、例えば、特許文献１には「４周にサネを形成した床材を床下地面に置き敷きして形成された床における一部貼り替え方法であって、置き敷き床から、貼り替えすべき床材と該床材の一方の長手方向のサネ部分で隣り合う床材の２枚を取り除く工程、短手方向のサネ部分を処理した２枚の床材を長手方向のサネ部分で隣り合うようにして組み付け、かつ、分離はしないが折れ曲がりは可能なように裏面から２枚の床材を接合する工程、接合した２枚の床材を折り曲げた状態で、先に床材を除去した領域に配置する工程、配置した２枚の床材を床下地面に押し付けて平坦な状態とする工程、とを少なくとも備えることを特徴とする置き敷き床での一部貼り替え方法。」に関する発明が開示されている。
【先行技術文献】
【特許文献】
【０００５】
【特許文献１】特開２００３−０７４１７０号公報
【発明の概要】
【発明が解決しようとする課題】
【０００６】
特許文献１の発明では、「短手方向のサネ部分を処理した２枚の床材を長手方向のサネ部分で隣り合うようにして組み付け」ることとしているが、具体的には、「同じ種類の床材を２枚用意し、短手方向のサネ（上下２箇所）を、オスサネ側はすべて、メスサネ側は裏面側のみを除去する処理を行う」（段落０００８、００１４など参照）こととしている。
【０００７】
このように雄実の実長さを短くしたり、完全に除去したりするなど、構造上の変更を行えば、一部床材の貼り替えが容易になるが、本実形状などの基本構造を誤って変更すれば、強度不足、段違い、床鳴りなど、床材としての基本的な性能に悪影響を及ぼすことがある。
【０００８】
例えば、マンション用などの直貼フロアには、６〜１２ｍｍ程度の厚さの基材表面に、０．２〜３．０ｍｍ程度の厚さの化粧材を貼り付けた床材が用いられる。この基材としては、合板、繊維板（ＨＤＦ、ＭＤＦなど）などのほか、合板と繊維板とを貼り合わせたものがある。通常は、前記の基材の裏面にウレタンなどの緩衝材を貼り付けたものが用いられる。このため、引用文献１の発明のように、雄実を完全に除去してしまった床材を用いたのでは段違いが生じるなど、床材としての基本的な性能への悪影響を避けることができない。
【０００９】
本発明は、このような従来技術の問題を解決するためになされたものであり、床の施工後に一部の床材のみを容易に貼り替えることができる床材および一部床材の貼り替え方法を提供することを目的とする。
【課題を解決するための手段】
【００１０】
本発明者らは、上記の目的を達成するべく、既設床から貼替対象床材（場合によって、該床材と、その短手方向（巾方向）隣りにある床材）とを取り除き、残存するフロア残留物を取り除いて下地を露出させた空間に、対応する新規床材を嵌め込むことを前提として、床材の貼り替えを行う方法を検討した。
【００１１】
一の新規床材の長手方向（長さ方向）の雄実に他の新規床材の長手方向の雌実を連結した状態で該２枚の床材表面をテープで仮固定し、該２枚の床材の連結部を山折りにした状態であれば、新規床材の長手方向の雄実および雌実ならびに短手方向の雄実を、それぞれ既設床の長手方向の雌実および雄実ならびに短手方向の雌実にはめ込むことができる。しかし、新規床材の短手方向の雌実を既存床の雄実に嵌合させるのは容易ではない。
【００１２】
そこで、本発明者らは鋭意研究を行い、運搬用吸盤を該２枚の新規床材のいずれか一方の長手方向中央部に取り付け、その部分を上方に押し上げることにより、新規床材の短手方向の雌実の相対的な位置を後退させることができ、新規床材の短手方向の雌実を既存床の雄実に嵌合させることが可能であることを見出した。
【００１３】
本発明者らが行った様々な検討により、上記の方法に従って一部床材を貼り替えるに際して、新規床材の短手方向の雌実の下顎部が既存床の雄実の凸部に接触すると、新規床材の短手方向の雌実を既存床の雄実に嵌合させるのが困難となることが分かった。そこで、床材の基本的な性能に悪影響を与えない範囲で、雄実および雌実の形状を変更し、本発明を完成させた。
【００１４】
本発明は、このような知見に基づいてなされたものであり、下記の一部床材の貼り替え方法を要旨とする。
【００１５】
（１）下記の（ａ）〜（ｇ）の工程を行う、一部床材の貼り替え方法。
（ａ）既設床から貼替対象床材を取り除き、長手方向の雄実および雌実、短手方向の雄実および雌実、ならびに、下地を露出させる工程、
（ｂ）前記露出した下地に残存するフロア残留物を取り除く工程、
（ｃ）前記下地表面に接着剤を塗布する工程、
（ｄ）一の新規床材の長手方向の雄実に他の新規床材の長手方向の雌実を連結した状態で前記２枚の床材表面をテープで仮固定する工程、
（ｅ）前記２枚の新規床材の連結部を山折りにした状態で、前記他の新規床材の長手方向の雄実を、前記既設床の露出した長手方向の雌実に、前記一の新規床材の長手方向の雌実を、前記既設床の露出した長手方向の雄実に、前記２枚の新規床材の短手方向の雄実を、前記既設床の露出した短手方向の雌実にそれぞれはめ込む工程、
（ｆ）運搬用吸盤を用いて、前記２枚の新規床材の長手方向中央部を上方に押し上げ、その状態で前記２枚の新規床材の短手方向の雌実を、前記既設床の短手方向の露出した雄実に当接させる工程、および、
（ｇ）前記２枚の新規床材の短手方向の雌実を既設床の短手方向の露出した雄実に嵌め込む工程。
【００１６】
（２）前記（ｇ）の工程が、前記２枚の床材の連結部の短手方向の雌実付近を緩衝材付ハンマーで叩くことにより、前記２枚の新規床材の短手方向の雌実を既設床の短手方向の露出した雄実に嵌め込む工程である、上記（１）の一部床材の貼り替え方法。
【００１７】
（３）前記新規床材および前記既設床として、
長手方向および短手方向のそれぞれ同じ側に、
上垂直部、凸部および下垂直部で構成される雄実と、
上顎部、凹部および下顎部で構成される雌実を有する床材を用いる、上記（１）または（２）に記載の一部床材の貼り替え方法であって、
前記一の新規床材における前記雄実の前記凸部の上面または前記既設床における前記露出した雄実の凸部の上面に、前記他の新規床材における前記雌実の前記上顎部の下角部を当接した状態で回転させて前記雌実を前記雄実に嵌め込むに際して、前記下顎部の上角部が前記凸部の移動の妨げとならず、かつ、
施工後の前記一の新規床材における前記上垂直部または前記既設床における前記上垂直部と前記他の新規床材における前記上顎部との水平方向のギャップをＷ０とするとき、凸部下面と下顎部上面との水平方向の重なり巾Ｗ１が２×Ｗ０以上である、床材を用いる、一部床材の貼り替え方法。
【００１８】
（４）前記ギャップＷ０が、０．１〜１．０ｍｍである、上記（３）の一部床材の貼り替え方法。
【００１９】
（５）前記下顎部が、その上角部にテーパー部を有する、上記（３）または（４）の一部床材の貼り替え方法。
【００２０】
（６）前記巾Ｗ１が、０．３ｍｍ以上である、上記（３）〜（５）のいずれかの一部床材の貼り替え方法。
【００２１】
（７）前記凸部先端と前記上垂直部との水平方向の距離Ｈ０とするとき、該凸部先端から水平方向にＨ０／３の上面位置と該凸部の下角部との距離Ｄ１が、前記上顎部の前記下角部と前記下顎部の前記上角部との距離Ｄ２よりも小さい、上記（３）〜（６）のいずれかの一部床材の貼り替え方法。
【発明の効果】
【００２３】
本発明の床材によれば、既存床の一部の床材を抜き取ってできた空間に新規床材を容易に嵌め込むことができるので、施工済みの他の床材を傷つけることなく、既存床の一部を新規の床材に貼り替えることが可能となる。また、本発明の一部床材の貼り替え方法によれば、既存床の一部を新規の床材に貼り替える際の作業性が格段に向上する。よって、施工後に、一部の床材に欠陥が見つかった場合や、誤って傷をつけてしまった場合であっても、施工済みの床材のすべてを剥がすことなく修復が可能となるので、住宅のフローリングの補修時において特に有用である。
【図面の簡単な説明】
【００２４】
【図１】一部の床材の縦溝に切込みを入れる工程を例示した図
【図２】既設床から床材を取り除く工程を例示した図
【図３】新規床材を既設床に当接させる工程を例示した図
【図４】新規床材を既設床に嵌め込む工程を例示した図
【図５】本発明に係る床材を例示した図                                          （ａ）合板製の床材の例                                                      （ｂ）ＭＤＦ製の床材の例
【図６】本発明に係る床材を例示した図                                          （ａ）当接前の状態                                                          （ｂ）当接および嵌め込み時の状態                                            （ｃ）施工後の状態
【図７】本発明に係る床材を例示した上面図
【図８】本発明に係る床材を例示した背面図
【図９】図７のＡ−Ａ断面図
【図１０】図９の円Ｂについての部分拡大図
【図１１】本発明に係る床材の他の例を示した部分拡大図
【発明を実施するための形態】
【００２５】
以下、図を用いて、本発明の実施態様を説明するが、本発明は、図に示された床材に限定されないのはいうまでもない。まず、本発明に係る一部床材の貼り替え方法について説明し、その後、本発明に係る床材について説明する。
【００２６】
１．本発明に係る一部床材の貼り替え方法
本発明に係る一部床材の貼り替え方法においては、まず、既設床から抜取対象を取り除く必要がある。その方法については、特に制約はないが、例えば、図１に示すように、カッターなどの切断手段５４で貼替対象床材５０の縦溝５５に沿って切込みを入れ、貼替対象床材５０を縦溝に沿って分断させやすくした後、図２に示すように、運搬用吸盤５１を貼替対象床材５０の表面に吸着させ、その状態で運搬用吸盤５１を上方に移動させることによって、施工済みの他の床材を傷つけることなく、貼替対象床材５０のみを剥ぎ取ることが可能となる。
【００２７】
既設床から貼替対象床材を取り除く工程は、上記の方法に限定されず、縦溝以外の場所に切込みを入れても良いし、短手方向に複数の切り込みを入れても良いが、貼替対象床材ではない周辺の床材にまで傷をつけるおそれがある。直線的な切込みを入れやすい上記の方法を採用するのが好ましい。また、後段で詳しく説明するように、縦溝の裏面には、裏溝を設けることが好ましい。
【００２８】
欠陥のある床材が１枚はぎの場合には、該床材と、短手方向（巾方向）隣りにある床材の２枚を抜き取る、すなわち、短手方向に隣り合う２枚の床材が貼替対象床材となる。一方、欠陥のある床材が２枚はぎ以上の場合、その床材のみを抜き取る、すなわち、その床材1枚を貼替対象床材としてもよいし、短手方向に隣り合う２枚の床材を貼替対象床材としてもよい。これは、後段で詳しく説明するように、新規の床材の嵌め込みは、２枚の床材を山折り状態として行われるため、貼替対象床材に少なくとも１本の縦溝が存在する必要があるためである。
【００２９】
続いて、貼替対象床材を取り除いた後には、図２に示すように、下地材５３の上面にクッション材や接着剤などのフロア残留物５２が残っているため、スクレーパー（図示省略）などによってこれを取り除き、下地を平滑にし、その後、下地材５３の表面に接着剤を塗布する。このような下地処理を行うのは、新規床材の接着性を向上させるためである。このようにして、貼替対象床材を含む一部床材を取り除いた後の既存床の空間には、以下に示す方法で、２枚の新規床材が嵌め込まれ、施工される。
【００３０】
対応する２枚の新規床材としては、貼替対象床材が２枚である場合には、貼替対象床材と同じサイズのものを用意すればよい。一方、貼替対象床材が１枚である場合には、貼替対象床材の縦溝で分断したサイズのものを用意すればよい。例えば、貼替対象床材が等間隔の２枚はぎの床材である場合、新規の床材として貼替対象床材と同一長さで、巾が半分のものを用意すればよく、貼替対象床材が等間隔の３枚はぎの床材である場合、新規の床材として貼替対象床材と同一長さで、巾が１／３のものを３枚用意するか、巾が１／３のものと２／３のものとの２枚を用意すればよい。
【００３１】
図３に示すように、予め２枚の新規床材６０ａ、６０ｂを連結する。このとき、すなわち、一の新規床材６０ａの長手方向の雌実に他の新規床材６０ｂの長手方向の雄実を連結した状態で２枚の床材６０ａ、６０ｂの表面をテープ６１で仮固定したものを用意する。２枚の新規床材６０ａ、６０ｂの連結部６２を山折りにした状態で、長手方向の雄実および雌実ならびに短手方向の雄実を、それぞれ既設床の長手方向の雌実および雄実ならびに短手方向の雌実にはめ込む。
【００３２】
続いて、図４に示すように、運搬用吸盤５１を２枚の新規床材６０ａ、６０ｂのいずれか一方（図４に示す例では６０ａ）の長手方向中央部に吸着させ、２枚の新規床材６０ａ、６０ｂの長手方向中央部６３を上方に押し上げると、新規床材６０ａ、６０ｂの短手方向の雌実６４の既存床の短手方向の雄実に対する相対的な位置を後退させる（図面右上方向に移動させる）ことができ、その結果、新規床材の短手方向の雌実を既存床の雄実に嵌合させることが可能である。その状態で短手方向の雌実６４を、既設床の短手方向の雄実に当接させ、２枚の新規床材６０ａ、６０ｂの短手方向の雌実６４を既設床の短手方向の雄実に嵌め込むことにより、既存床の一部床材を新規の床材に貼り替えることができる。
【００３３】
なお、２枚の床材６０ａ、６０ｂの短手方向の雌実６４を既設床の短手方向の雄実に嵌め込むに際しては、２枚の新規床材６０ａ、６０ｂの連結部の短手方向の雌実付近６５を緩衝材付ハンマー６６で叩くのがよい。緩衝材付ハンマーとしては、例えば、ゴム製、樹脂製などのハンマーなどである。また、本発明に係る一部床材の貼り替え方法において使用する床材は、前述のように、運搬用吸盤５１によって持ち上げられた際に、折れない程度に十分な強度を有するとともに、ある程度の撓み量が得られるものであることが好ましい。よって、床材としては、その裏面に、長手方向等間隔に設けられた複数の裏溝を有しているものを用いるのが好ましい。
【００３４】
上記の方法によれば、既存床の一部床材を新規の床材に容易に貼り替えることができるが、通常の床材は、元々このような方法での貼り替えを想定しておらず、そのままでは、２枚の床材６０ａ、６０ｂの短手方向の雌実６４を既設床の短手方向の雄実に嵌め込むのが困難な場合がある。しかし、引用文献１に記載の発明のように雄実を完全に除去してしまうと、嵌め込み後に床材としての基本的な性能を維持できなくなってしまう。そこで、本発明者らは、既存床の一部床材を容易に新規の床材に貼り替えることができ、しかも、嵌め込み後に床材としての基本的な性能を維持できる床材として、下記の床材を見出した。
【００３５】
２．本発明に係る床材
図５（ａ）および（ｂ）に示すように、本発明に係る床材１は、少なくとも短手方向に、上垂直部１１、凸部１２および下垂直部１３で構成される雄実１０と、上顎部２１、凹部２２および下顎部２３で構成される雌実２０を有する床材である。
【００３６】
なお、床材のサイズは、前述のように、貼替対象床材に応じて適切なものを選べばよい。例えば、３０３ｍｍ×９０９ｍｍサイズ（いわゆる１×３尺サイズ）、３０３ｍｍ×１８１８ｍｍサイズ（いわゆる１×６尺サイズ）などである。床材の厚さについては、特に制約はないが、床材としての基本的な強度を保持できる程度の厚さであればよく、また、あまりに厚いと、床材の長手方向中央部を上方に押し上げることが困難になるため、その厚さは、５〜１５ｍｍとすることが好ましい。好ましい上限は７ｍｍである。また、床材の裏面には、長手方向等間隔に設けられた複数の裏溝を有しているのが好ましい。
【００３７】
図中省略しているが、図５（ａ）に示す合板製床材は、例えば、化粧層および合板層を有するものであり、必要に応じて、化粧層および合板層の間にＭＤＦ層を、合板層の下に緩衝材層を、さらに、緩衝材層の下に遮水層を設けてもよい。また、図５（ｂ）に示すＭＤＦ製床材とは、化粧層およびＭＤＦ層を有するものであり、必要に応じて、ＭＤＦ層の下に樹脂シート層を、さらにＭＤＦ層または樹脂シート層の下に緩衝材層を、さらに、緩衝材層の下に遮水層を設けてもよい。
【００３８】
図６（ａ）および（ｂ）に示すように、一の床材３０における雄実の凸部１２の上面１２ａに、他の床材４０における雌実の上顎部２１の下角部２１ａを当接した状態（同図（ｂ）参照）で回転させて、床材４０の雌実を床材３０の雄実に嵌め込むに際して、下顎部２３の上角部２３ａが凸部１２の相対的な移動の妨げとならないことが必要である。具体的には、上角部２３ａには、図５および図６に示すようなテーパー部を設けるのが好ましい。
【００３９】
ここで、床材は、空気中の水分を吸収すると伸びる。この伸びは長手方向において顕著であるため、通常、一の床材の短手方向の雄実と、他の床材の短手方向の雌実との間にはスペーサー（通常は厚さ０．３ｍｍ程度）を取り付けた状態で施工される。該スペーサーは施工後に抜き取られる。よって、ギャップＷ０は、通常はスペーサーの厚さに一致する。そして、施工後の凸部１２と下顎部２３との水平方向の重なり巾Ｗ１が、小さい場合には、該接合部を踏んだ時に、床材４０の雌実の上顎部２１が沈み、床材としての基本的な強度が得られなくなる。よって、図６（ｃ）に示すように、施工後の一の床材３０における上垂直部１１と他の床材４０における上顎部２１との水平方向のギャップをＷ０とするとき、施工後の凸部１２と下顎部２３との水平方向の重なり巾Ｗ１が２×Ｗ０以上であることが必要である。巾Ｗ１は０．３ｍｍ以上であることが好ましい。
【００４０】
ギャップＷ０は、０．１〜１．０ｍｍであることが好ましい。０．１ｍｍより小さいと、上記の伸びが生じた時に雄実の上垂直部と雌実の上顎部とが接触し床鳴りを生じさせるおそれがあり、１．０ｍｍを超えると、床材としての美観を損ねるおそれがある。ただし、ギャップＷ０は、大きいと、一部床材の貼り替えを容易にするので、０．５ｍｍ以上とするのがより好ましい。
【００４１】
図６（ａ）に示すように、凸部１２先端から水平方向にＨ０／３（ただし、Ｈ０は凸部１２の先端と上垂直部１１との水平方向の距離）の上面位置（図中「Ａ」の位置）と、凸部１２の下角部１２ｂとの距離Ｄ１は、上顎部２１の下角部２１ａと下顎部２３の上角部２３ａとの距離Ｄ２よりも小さいことが好ましい。この条件を満たす床材であれば、一の床材３０における雄実の凸部１２の上面１２ａに、他の床材４０における雌実の上顎部２１の下角部２１ａを当接した状態（同図（ｂ）参照）で回転させて、床材４０の雌実を床材３０の雄実に嵌め込むに際して、下顎部２３の上角部２３ａが凸部１２の移動の妨げとならないからである。
【００４２】
なお、距離Ｄ１および距離Ｄ２の測定においては、下角部１２ｂ、下角部２１ａおよび上角部２３ａは、それぞれの角部の頂点を意味する。
【００４３】
以上の構成を有する床材であれば、既存床の一部床材を容易に新規の床材に貼り替えることができ、しかも、嵌め込み後に床材としての基本的な性能を維持できる。なお、本発明に係る床材は、既存床の一部床材を容易に新規の床材に貼り替えるに際して特に有用であるが、一部床材の貼り替えではなく、通常の新規床材の施工時にも使用可能であることは言うまでもない。この床材に、以下に示す裏溝を設ければ、床材を容易に分断することができるので、施工後に一部の床材を容易に抜き取ることが可能となる。
【００４４】
（裏溝について）
図７〜図１１に示すように、本発明の床材７０には、その表面７０ａに縦溝７１を、その裏面７０ｂに裏溝７２を有しており、裏溝７２は、床材７０の裏面７０ｂ側の縦溝７１に対応する位置に、縦溝７１に沿うように形成されていることが好ましい。このような構成を有する床材７０は、カッターなどの切断手段により、縦溝７１に切込みを入れることにより縦溝７１に沿って床材を容易に分断することができるので、施工後に一部の床材を容易に抜き取ることが可能となる。
【００４５】
図７〜図９では、２枚はぎの床材の例を示しているが、３枚はぎ、４枚はぎ、またはそれ以上のはぎ数の床材であってもよいことは前述のとおりである。はぎ数が３枚以上の床材の場合、縦溝が２本以上存在することになるが、裏溝は、いずれか一本の縦溝に沿うように形成されておれば足りる。裏溝は、幅方向中心に近い位置にある縦溝に沿うように形成されていることが好ましい。縦溝が複数ある場合には、その全部または一部の縦溝に沿って、複数の裏溝を形成してもよい。
【００４６】
縦溝には、Ｖ型、Ｕ型、凹型など様々な形状のものがある。縦溝の溝底とは、溝の最も深い部分をいい、Ｖ型およびＵ型の溝の場合、細線状であり、凹型の場合、太線状である。いずれの縦溝の場合でも、裏溝は、溝底の大部分（全体の８０％以上、好ましくは９０％以上）を含むように形成されておればよい。裏溝は、溝底の全部を含むように形成されているのが最も好ましい。裏溝は、縦溝Ｖ型およびＵ型の溝の場合、縦溝の幅よりも狭くても良いが、縦溝が凹型の溝の場合、裏溝の幅は縦溝の幅よりも広く形成するのが好ましい。
【００４７】
床材の基材には、用途や客先仕様により、様々なものがある。例えば、図１０に示す床材８０は、化粧単板などの表面層７３と、ＭＤＦなどの木質繊維層７４と、塩化ビニルなどの合成樹脂層７５とを有する床材の例である。床材８０には、その表面に縦溝７１が形成され、その裏面に縦溝７１に沿うように裏溝７２が形成されているのは前述の例と同様である。図１０に示す例において、縦溝７１は、概ね０．２ｍｍ程度の表面層７３を貫通し、３ｍｍ程度の木質繊維層７４の表層にまで及ぶように形成され、裏溝７２は、合成樹脂層７５の範囲内で形成されている。
【００４８】
図１１に示す床材９０は、化粧単板などの表面層７３と、ＨＤＦなどの木質繊維層７６と、合板層７７とを有する床材の例である。床材９０には、その表面に縦溝７１が形成され、その裏面に縦溝７１に沿うように裏溝７２が形成されているのは前述の例と同様である。図１１に示す例において、縦溝７１は、概ね０．２ｍｍ程度の表面層７３を貫通し、０．５ｍｍ程度の木質繊維層７６にまで及ぶように形成され、裏溝７２は、合板層７７の範囲内で形成されている。
【００４９】
図１０および図１１のいずれの例においても、直貼り用フロアの場合には、裏面側にはウレタンなどからなるクッションシートが貼り付けられる。
【００５０】
ここで、縦溝７１の幅、開口角などについては用途や客先仕様による。一方、裏溝７２は、その形状に特に制約はないが、縦溝の底部と裏溝の底部との距離（図１０または図１１のＤ）は１〜５ｍｍとするのが好ましく、その幅（図１０または図１１のＷ）は１〜２５ｍｍとするのが好ましい。
【００５１】
縦溝の底部と裏溝の底部との距離が１ｍｍに満たない場合、縦溝の部分における機械的な強度が不十分となり、縦溝に強い負荷が掛かると、割れなどの不具合が生じかねない。一方、縦溝の底部と裏溝の底部との距離が５ｍｍを超えると、カッターなどの手工具で床材の分断をすることが困難となる。よって、縦溝の底部と裏溝の底部との距離は１〜５ｍｍとするのがよい。下限は２ｍｍとするのが好ましい。また、上限は４ｍｍ、より好ましくは３ｍｍとするのが好ましい。
【００５２】
裏溝の幅が１ｍｍに満たない場合、縦溝に切込みを入れる際に少しでもずれると床材の分断が困難となるおそれがある。また、裏溝の幅が２５ｍｍを超えると、縦溝の部分における機械的な強度が不十分となり、縦溝に強い負荷が掛かると、割れなどの不具合が生じかねない。よって、裏溝の幅は１〜２５ｍｍとするのがよい。上限は２０ｍｍとするのが好ましく、１５ｍｍとするのがより好ましく、１０ｍｍとするのが一層好ましい。さらに好ましいのは５ｍｍである。
【００５３】
上記の裏溝を有する床材を施工した後、一部の床材を抜き取るに際しては、前掲の図１に示すように、カッターなどの切断手段５４を用いて、貼替対象床材５０の縦溝５５に沿って切込みを入れる点は、前述の例と同様であるが、この例では、縦溝の裏面に裏溝が形成されているため、通常の床材と比較して、貼替対象床材５０を縦溝５５に沿って分断させやすいというメリットがある。その後に、貼替対象床材のみを剥ぎ取る工程、フロア残留物を取り除く工程などは、前述の例と同様である。
【産業上の利用可能性】
【００５４】
本発明の床材によれば、既存床の一部の床材を抜き取ってできた空間に新規床材を容易に嵌め込むことができるので、施工済みの他の床材を傷つけることなく、既存床の一部を新規の床材に貼り替えることが可能となる。また、本発明の一部床材の貼り替え方法によれば、既存床の一部を新規の床材に貼り替える際の作業性が格段に向上する。よって、施工後に、一部の床材に欠陥が見つかった場合や、誤って傷をつけてしまった場合であっても、施工済みの床材のすべてを剥がすことなく修復が可能となるので、住宅のフローリングの補修時において特に有用である。
【符号の説明】
【００５５】
１  本発明に係る床材
１０  雄実
１１  上垂直部
１２  凸部
１２ａ  上面
１２ｂ  下角部
１３  下垂直部
２０  雌実
２１  上顎部
２１ａ  下角部
２２  凹部
２３  下顎部
２３ａ  上角部
３０、４０  床材
５４  切断手段
５０  貼替対象床材
５５  縦溝
５１  運搬用吸盤
５３  下地材
５２  フロア残留物
６０ａ、６０ｂ  床材
６１  テープ
６２  連結部
６３  長手方向中央部
６４  雌実
６５  連結部の短手方向の雌実付近
６６  緩衝材付ハンマー
７１  縦溝
７２  裏溝
７３  表面層
７４  木質繊維層
７５  合成樹脂層
７６  木質繊維層
７７  合板層
７０、８０、９０  床材
７０ａ  床材表面
７０ｂ  床材裏面
【図１】
0006008555.tif 000002
【図２】
0006008555.tif 000003
【図３】
0006008555.tif 000004
【図４】
0006008555.tif 000005
【図５】
0006008555.tif 000006
【図６】
0006008555.tif 000007
【図７】
0006008555.tif 000008
【図８】
0006008555.tif 000009
【図９】
0006008555.tif 000010
【図１０】
0006008555.tif 000011
【図１１】
0006008555.tif 000012